【事件の表示】
　特願２０１３−２６６０５５「電子機器」拒絶査定不服審判事件〔平成２７年　７月　２日出願公開、特開２０１５−１２１９９６〕について、次のとおり審決する。
【結　論】
　本件審判の請求は、成り立たない。
【理　由】
第１　手続の経緯 
　本願は、平成２５年１２月２４日の出願であって、平成２８年９月１６日付けで拒絶理由通知がなされ、平成２８年１１月２５日に手続補正がされるとともに意見書が提出され、平成２９年２月１０日付けで拒絶理由通知（最後）がなされ、平成２９年４月１９日に手続補正がされるとともに意見書が提出され、平成２９年５月３１日付けで平成２９年４月１９日付け手続補正が却下されるとともに拒絶査定がなされ、平成２９年９月６日に拒絶査定不服審判の請求がなされ、その審判の請求と同時に手続補正がなされたものである。
第２　本願発明
　本願の請求項１ないし５に係る発明は、特許請求の範囲の請求項１ないし５に記載された事項により特定されるものと認められるところ、その請求項１に係る発明（以下、「本願発明」という。）は、次のとおりのものである。
「【請求項１】
　表面および背面にタッチセンサを有する電子機器であって、
　任意の画面を表示中に背面のタッチセンサの操作を検出すると、表示されていないオブジェクトを、表示部に表示させる制御部を備えることを特徴とする電子機器。」
第３　原査定の拒絶の理由
　拒絶査定の理由である、平成２９年２月１０日付け拒絶理由通知（最後）の理由のうちの理由３は、次のとおりのものである。
　この出願の請求項１−５に係る発明は、その出願前に日本国内又は外国において、頒布された下記の引用文献１−２に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
引用文献１：特開２０１１−３６４２４号公報
引用文献２：特開２０１３−１４２９０７号公報
第４　引用文献の記載及び引用発明
１　引用文献１の記載
　引用文献１には、図面とともに以下の記載がある（下線は、特に着目した箇所を示す。以下同様。）。
（１）　段落【０００９】−【００１０】
「【０００９】
　図１及び図２は、実施の形態に係るゲーム装置１０の外観を示す。図１に示すように、
ゲーム装置１０の表側、すなわち、ユーザがゲーム装置１０を把持して操作するときにユーザに面する側には、指示入力ボタン２１、方向キー２２、Ｒボタン２３、Ｌボタン２４などの入力装置２０と、表示装置６８が備えられ
表示装置６８には、ユーザの指やスタイラスペンなどによる接触を検知するためのタッチパネル６９が併設され
【００１０】
　図２に示すように、ゲーム装置１０の裏側には、背面タッチパネル７０が備えられている。ゲーム装置１０の裏側にも、表側と同様に表示装置を設けてもよいが、本実施の形態では、
ゲーム装置１０の裏側には表示装置を設けずに、背面タッチパネル７０のみを設け
（２）　段落【００１５】−【００１６】
「【００１５】
　
制御部４０は、起動制御部４１、画面管理部４２、イベント制御部４３、機能制御部４４、及びアプリケーション４５を含
【００１６】
　図４（ａ）（ｂ）（ｃ）は、
背面タッチパネルの操作により所定の機能を起動する方法について
ユーザが、背面タッチパネル７０上を、ゲーム装置１０の裏側から見て左から右へ指をずらすと、
ユーザから見ると右から左へ指をずらしたことにな
このとき、入力部３０は、背面タッチパネル７０において、入力位置を左から右へ移動する操作がなされたことを制御部４０へ伝達
イベント制御部４３は、伝達された操作入力を、起動制御部４１へ通知
起動制御部４１は、操作に対応する機能を起動するよう機能制御部４４に指示し、画面管理部４２は、
起動された機能による表示画面を表示するための副画面７２を、右から左へ引き出されるように表示装置６８に表示させ
これにより、ユーザが指で副画面７２を右から左へ引き出したように見せることができるので、直感的に分かりやすいユーザインタフェースを実現することができ
（３）　段落【００２５】−【００３１】
「【００２５】
　つづいて、
副画面により提供される機能の例
機能制御部４４により実現される
【００２６】
　図７（ａ）（ｂ）（ｃ）は、
コピー機能
【００２７】
　図８（ａ）（ｂ）（ｃ）は、
マスク機能
【００２８】
　図９は、
画像フィルタ機能
【００２９】
　図１０（ａ）（ｂ）（ｃ）は、消音機能について説明するための図である。……（以下略）
【００３０】
　図１１は、
操作履歴記録機能
【００３１】
　図１２（ａ）（ｂ）（ｃ）は、
情報表示機能について
画像表示機能を有するアプリケーションにより画像が表示されているときに、情報表示機能を有する副画面７２が引き出されると、
機能制御部４４は、表示中の画像に関する情報を副画面７２に表示
これにより、副画面７２からはみ出た領域に表示されるべき情報は不可視となるので、例えば、ユーザが情報を暗記したり記憶を確認したりするような場合に、情報を容易に可視化したり不可視化したりすることができ
また、機能制御部４４は、副画面７２によりコンテクストメニューを提供してもよい
２　引用発明
　したがって、上記各記載事項を関連図面に照らし、下線部に着目すれば、引用文献１には、「副画面により提供される機能」が「情報表示機能」である場合として、次の発明（以下、「引用発明」という。）が記載されているといえる。
「ゲーム装置１０の表側、すなわち、ユーザがゲーム装置１０を把持して操作するときにユーザに面する側には、指示入力ボタン２１、方向キー２２、Ｒボタン２３、Ｌボタン２４などの入力装置２０と、表示装置６８が備えられ、表示装置６８には、ユーザの指やスタイラスペンなどによる接触を検知するためのタッチパネル６９が併設され、ゲーム装置１０の裏側には表示装置を設けずに、背面タッチパネル７０のみを設け、
　制御部４０は、起動制御部４１、画面管理部４２、イベント制御部４３、機能制御部４４、及びアプリケーション４５を含み、
　背面タッチパネルの操作により所定の機能を起動する方法について、
　ユーザが、背面タッチパネル７０上を、ゲーム装置１０の裏側から見て左から右へ指をずらすと、ユーザから見ると右から左へ指をずらしたことになり、このとき、入力部３０は、背面タッチパネル７０において、入力位置を左から右へ移動する操作がなされたことを制御部４０へ伝達し、イベント制御部４３は、伝達された操作入力を、起動制御部４１へ通知し、起動制御部４１は、操作に対応する機能を起動するよう機能制御部４４に指示し、画面管理部４２は、起動された機能による表示画面を表示するための副画面７２を、右から左へ引き出されるように表示装置６８に表示させ、これにより、ユーザが指で副画面７２を右から左へ引き出したように見せることができるので、直感的に分かりやすいユーザインタフェースを実現することができ、
　機能制御部４４により実現される、副画面により提供される機能の例として、コピー機能、マスク機能、画像フィルタ機能、操作履歴記録機能などがあり、
　情報表示機能について、画像表示機能を有するアプリケーションにより画像が表示されているときに、情報表示機能を有する副画面７２が引き出されると、機能制御部４４は、表示中の画像に関する情報を副画面７２に表示し、これにより、副画面７２からはみ出た領域に表示されるべき情報は不可視となるので、例えば、ユーザが情報を暗記したり記憶を確認したりするような場合に、情報を容易に可視化したり不可視化したりすることができ、また、機能制御部４４は、副画面７２によりコンテクストメニューを提供してもよい、
　ゲーム装置１０。」
第５　対比
　本願発明と引用発明とを対比する。
　
（１）　引用発明の「ゲーム装置」は、後述する相違点を除き、本願発明の「電子機器」に対応する。
　引用発明のゲーム装置の「タッチパネル６８」と「背面タッチパネル７０」は、本願発明の「タッチセンサ」に相当する。
　よって、「
ゲーム装置１０の表側
タッチパネル６９が併設され
ゲーム装置１０の裏側
背面タッチパネル７０のみを設け
　
（２）　引用発明の「起動制御部４１、画面管理部４２、イベント制御部４３、機能制御部４４、及びアプリケーション４５を含」む「制御部４０」は、後述する相違点を除き、本願発明の「制御部」に対応する。
　引用発明の「副画面７２」は、「ユーザが、背面タッチパネル７０上を、ゲーム装置１０の裏側から見て左から右へ指をずらすと」、「副画面７２を、右から左へ引き出されるように表示装置６８に表示させ、これにより、
ユーザが指で副画面７２を右から左へ引き出したように見せる
　よって、引用発明の「制御部４０」が「機能制御部４４」を含み、「
ユーザが、背面タッチパネル７０上を、ゲーム装置１０の裏側から見て左から右へ指をずらすと、ユーザから見ると右から左へ指をずらしたことになり
画像表示機能を有するアプリケーションにより画像が表示されているときに、情報表示機能を有する副画面７２が引き出されると
表示中の画像に関する情報を副画面７２に表示し、
任意の
　したがって、本願発明と引用発明との間には、次の一致点・相違点があるといえる。
　
［一致点］
「表面および背面にタッチセンサを有する電子機器であって、
　画面を表示中に背面のタッチセンサの操作を検出すると、表示されていないオブジェクトを、表示部に表示させる制御部を備えることを特徴とする電子機器。」
［相違点］
　本願発明の制御部は、「任意の」画面を表示中に背面のタッチセンサの操作を検出すると、表示されていないオブジェクトを、表示部に表示させるのに対して、引用発明の制御部４０は、「画像表示機能を有するアプリケーション」により「画像」が表示されているときに、背面タッチパネル７０の操作を検出すると、「情報表示機能を有する副画面７２」を引き出されるように表示するものであって、「任意の」画面を表示中に、背面のタッチセンサの操作に応じて、表示されていないオブジェクトを表示することは、特定がなされていない点。
５．当審の判断
［相違点］について
　引用発明の「画像表示機能を有するアプリケーション」により、「画像」が表示されているときに、背面タッチパネル７０の操作を検出すると、「情報表示機能を有する副画面７２」を引き出されるように表示する機能は、引用発明の「副画面により提供される機能」の一例であることは明らかである。
　一般に、「画像」ファイルを含む、「任意のファイル」に対して、ファイルのサイズや更新日時などの情報を表示する機能は、いわゆる「プロパティ」表示機能として、文献を挙げるまでもなく、普通に行われている。
　さらに、引用発明は、「副画面７２によりコンテクストメニューを提供してもよ」いこと、すなわち、実行中のアプリケーションや、選択中のアイコンなどに応じて、変化するメニューを、副画面として表示するものでもある。
　よって、引用発明に接した当業者であれば、引用発明の「画像表示機能を有するアプリケーション」以外の他のアプリケーションや、他の種類のファイルが表示されている場合にも、副画面による情報表示を行うように構成することによって、「任意の」画面を表示中に、背面のタッチセンサの操作に応じて、表示されていないオブジェクトを表示する、上記［相違点］に係る本願発明の構成とすることは、当業者であれば容易に推考し得ることである。
　さらに、本願発明の効果も、引用発明に基づいて、当業者が予測し得る範囲内のものである。
　
６．むすび
　したがって、本願発明は、引用発明に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。